(57)【要約】      （修正有）【課題】重複するデータ入力作業を不要として作業効率を大幅に向上することができる加工委託業務処理システムおよびその方法を提供する。【解決手段】加工委託企業の基幹システム１０は、データ格納媒体１２等に作業指示内容情報を書き込み、加工受託企業の基幹システム２０に反映されている、実施された加工作業についての作業内容情報を含むデータを読み出して加工委託企業の基幹システム１０に反映させる。前記データ格納媒体１２としては、ＲＦＩＤが好適に使用される。【選択図】図１
2005309972.tif 000002
【特許請求の範囲】
【請求項１】
加工委託企業の基幹システムのデータと、加工受託企業の基幹システムのデータを連携させる加工委託業務処理システムであって、
前記加工委託企業の基幹システムは、データ格納媒体に作業指示内容情報を書き込む書込手段と、
前記加工受託企業の基幹システムから受け取った前記データ格納媒体に格納されている作業内容情報を含むデータを読み出して前記加工委託企業の基幹システムに反映させる読出手段を備え、
前記加工受託企業の基幹システムは、前記加工委託企業の基幹システムから受け取った前記データ格納媒体に格納されている前記作業指示内容情報を含むデータを読み出して前記加工受託企業の基幹システムに反映させる読取手段と、
前記データ格納媒体に実施された加工作業についての前記作業内容情報を追記して前記加工受託企業の基幹システムに反映させる追記手段と、
加工作業の完了により完成された製品と前記加工受託企業の基幹システムのデータを照合し、前記データ格納媒体に出荷情報を追記して前記加工受託企業の基幹システムに反映させる照合手段を備えることを特徴とする加工委託業務処理システム。
【請求項２】
前記データ格納媒体は、ＲＦＩＤであることを特徴とする請求項１記載の加工委託業務処理システム。
【請求項３】
前記加工委託企業の基幹システムの前記書込手段、前記読出手段および前記加工受託企業の基幹システムの前記読取手段、前記追記手段、前記照合手段は、端末装置であることを特徴とする請求項１または２記載の加工委託業務処理システム。
【請求項４】
加工委託企業の基幹システムのデータと、加工受託企業の基幹システムのデータを連携させる加工委託業務処理方法であって、
前記加工委託企業の基幹システムが、書込手段によってデータ格納媒体に作業指示内容情報を書き込むステップと、
読出手段によって前記加工受託企業の基幹システムから受け取った前記データ格納媒体に格納されている作業内容情報を含むデータを読み出して前記加工委託企業の基幹システムに反映させるステップを有し、
前記加工受託企業の基幹システムが、読取手段によって前記加工委託企業の基幹システムから受け取った前記データ格納媒体に格納されている前記作業指示内容情報を含むデータを読み出して前記加工受託企業の基幹システムに反映させるステップと、
追記手段によって前記データ格納媒体に実施された加工作業についての前記作業内容情報を追記して前記加工受託企業の基幹システムに反映させるステップと、
照合手段によって加工作業の完了により完成された製品と前記加工受託企業の基幹システムのデータを照合し、一致する場合には前記データ格納媒体に出荷情報を追記して前記加工受託企業の基幹システムに反映させるステップを有することを特徴とする加工委託業務処理方法。
【請求項５】
前記データ格納媒体は、ＲＦＩＤであることを特徴とする請求項４記載の加工委託業務処理方法。
【請求項６】
前記加工委託企業の基幹システムの前記書込手段、前記読出手段および前記加工受託企業の基幹システムの前記読取手段、前記追記手段、前記照合手段は、端末装置であることを特徴とする請求項４または５記載の加工委託業務処理方法。
【発明の詳細な説明】
【技術分野】
【０００１】
本発明は、加工委託企業と受託企業の間で加工作業に関する情報が共有化された加工委託業務処理システムおよびその方法に関する。
【背景技術】
【０００２】
従来、加工委託業務については、加工委託企業から受託企業に対して作業指示書とともに原材料が提供され、受託企業では作業指示書と支給原材料を照合するとともに、受託内容を自社の情報システムに入力し、加工作業の実績を記録して、自社の情報システムに入力し、作業完了後に加工実績とともに納品書を発行し加工委託企業に納品し、加工委託企業では、納品書と納品物の照合を行うとともに納品書のデータを自社システムに入力するというような多くの重複作業を伴う処理が行われていた。
【０００３】
ここで、先行製品に設けた情報書き込み部に、その先行製品自体の個別情報とともに後続する生産体での生産工程に必要な情報を書き込んで後続する生産体に流通させ、その後続する生産体で情報書き込み部から読み出した情報に基づいて生産を行うことによって、製品に対する情報の書き込み工数を低減できて、生産コストの低下を図れ、また生産方法が複雑化しても製品の履歴情報が的確に得られ、種々の事態の発生や要望に適切に対処することができる技術が提案されている（例えば、特許文献１参照）。
【特許文献１】特開２００４−１３２２３号公報
【発明の開示】
【発明が解決しようとする課題】
【０００４】
しかしながら、上述した従来例においては次のような問題点があった。
【０００５】
多くの重複作業により、作業効率が低下し、また、近時その必要性が高まっているトレーサビリティの情報管理面でも物と情報が分離しており、正確なデータの把握が困難であるという問題点があった。
【０００６】
また、物と情報がばらばらに管理されている為、ずれが生じやすいく、さらに、各作業ポイントでの実績データ入力において作業番号または支給原材料データ等の重複入力が発生するという問題点があった。最近は食品をはじめとして原料または加工工程まで遡って情報をトレースする必要が高まってきているため正確な情報の把握が必須である。
【０００７】
そこで、本発明は、加工委託企業と受託企業の間で加工作業に関する情報が共有化された加工委託業務処理システムおよびその方法を提供することを目的とする。
【課題を解決するための手段】
【０００８】
本発明の加工委託業務処理システムは、加工委託企業の基幹システムは、データ格納媒体に作業指示内容情報を書き込む書込手段と、加工受託企業の基幹システムから受け取ったデータ格納媒体に格納されている作業内容情報を含むデータを読み出して加工委託企業の基幹システムに反映させる読出手段を備え、加工受託企業の基幹システムは、加工委託企業の基幹システムから受け取ったデータ格納媒体に格納されている作業指示内容情報を含むデータを読み出して加工受託企業の基幹システムに反映させる読取手段と、データ格納媒体に実施された加工作業についての作業内容情報を追記して加工受託企業の基幹システムに反映させる追記手段と、加工作業の完了により完成された製品と加工受託企業の基幹システムのデータを照合し、データ格納媒体に出荷情報を追記して加工受託企業の基幹システムに反映させる照合手段を備える。
【０００９】
また、データ格納媒体は、好適にはＲＦＩＤである。
【００１０】
また、加工委託企業の基幹システムの書込手段、読出手段および加工受託企業の基幹システムの読取手段、追記手段、照合手段は、好適には端末装置である。
【００１１】
本発明の加工委託業務処理方法は、加工委託企業の基幹システムが、書込手段によってデータ格納媒体に作業指示内容情報を書き込むステップと、読出手段によって加工受託企業の基幹システムから受け取ったデータ格納媒体に格納されている作業内容情報を含むデータを読み出して加工委託企業の基幹システムに反映させるステップを有し、加工受託企業の基幹システムが、読取手段によって加工委託企業の基幹システムから受け取ったデータ格納媒体に格納されている作業指示内容情報を含むデータを読み出して加工受託企業の基幹システムに反映させるステップと、追記手段によってデータ格納媒体に実施された加工作業についての作業内容情報を追記して加工受託企業の基幹システムに反映させるステップと、照合手段によって加工作業の完了により完成された製品と加工受託企業の基幹システムのデータを照合し、一致する場合にはデータ格納媒体に出荷情報を追記して加工受託企業の基幹システムに反映させるステップを有する。
【００１２】
また、データ格納媒体は、好適にはＲＦＩＤである。
【００１３】
また、加工委託企業の基幹システムの書込手段、読出手段および加工受託企業の基幹システムの読取手段、追記手段、照合手段は、好適には端末装置である。
【発明の効果】
【００１４】
本発明の加工委託業務処理システムおよびその方法によれば、重複するデータ入力作業を不要として作業効率を大幅に向上することができる。
することができる。
【発明を実施するための最良の形態】
【００１５】
次に、本発明の実施の形態の構成について図面を参照して説明する。
【００１６】
図１を参照すると、本実施形態における加工委託業務処理システムは、加工委託企業側の基幹システム１０と、データを書き込み、または読込むための端末１１、１３および加工受託企業側の基幹システム２０と、データを書き込み、または読込むための端末２１、２３、２５から構成されている。
【００１７】
基幹システム１０は、例えば、生産管理システム等であってもよい。
【００１８】
端末１１は、作業委託部門に設置され、データ保持媒体にデータを書き込むための情報処理装置である。
【００１９】
端末１３は、加工委託企業側の受け入れ部門に設置され、納品物に添付されてくるデータ保持媒体のデータを読み込むための情報処理装置である。
【００２０】
端末２１は、加工受託企業側の受け入れ部門に設置され、データ保持媒体のデータを読み込むための情報処理装置である。
【００２１】
端末２３は、作業現場に設置され、作業内容をデータ保持媒体に追加記入するための情報処理装置である。
【００２２】
端末２５は、出荷部門に設置され、最終的な出荷データをデータ保持媒体に追加記入するための情報処理装置である。
【００２３】
データ保持媒体１２、１４、２２、２４、２６は、例えば、ＲＦＩＤ（Radio Frequency IDentification）であってもよい。格納される情報は、例えば、図２に示すように作業指示内容、支給原材料明細、納期、加工日時、加工者、追加材料、使用機械番号等であってもよい。
【００２４】
次に、図２および図３を参照して本実施形態の処理動作のフローを詳細に説明する。なお、データ保持媒体はＲＦＩＤとする。
【００２５】
まず、図３を参照すると、加工委託企業側の端末１１は、作業委託時に基幹システム１０からの作業指示内容、支給原材料明細、納期の情報等をＲＦＩＤに書き込み、発行する（Ｓ３０１）。
【００２６】
ＲＦＩＤは、作業指示書や支給原材料とともに加工受託企業側に提供される（Ｓ３０２）。
【００２７】
加工受託企業側の端末２１は、支給原材料の受け入れ時に添付のＲＦＩＤの情報と物を照合し、作業内容の確認を行うとともに、自社基幹システム２０へＲＦＩＤの情報を取り込む（Ｓ３０３）。
【００２８】
読み込みおよび確認がなされたＲＦＩＤは支給原材料とともに作業部門に送付される（Ｓ３０４）。
【００２９】
加工作業は作業指示書に基づいて行われるが、加工受託企業側の端末２３は、支給原材料に添付されているＲＦＩＤの内容と作業指示書、支給原材料の照合および確認を行い作業するとともに、それぞれの作業段階における、例えば、加工日時、加工者、追加材料等の実績データをＲＦＩＤに追加記入する（Ｓ３０５）。
【００３０】
加工完了時には加工受託企業側の端末２５は、加工受託企業の出荷部門において納品物とＲＦＩＤのデータを照合し確認するとともに出荷検査のデータを追加記入し、納品物とともに委託企業に納品する（Ｓ３０６）。
【００３１】
加工委託企業側の端末１３は、納品物とＲＦＩＤを照合するとともに、基幹システム１０へ実績データをＲＦＩＤから取り込む（Ｓ３０７）。
【００３２】
また、受け入れデータの取り込みが終了したＲＦＩＤは次の作業依頼に利用されてもよい。これにより、使用されたＲＦＩＤの再利用が実現し、ローコストでの情報共有を図ることができる。
【００３３】
上記の実施形態によれば、加工委託企業および加工受託企業ともに重複するデータ入力作業から開放され作業効率が向上するとともに、現物とＲＦＩＤを一緒に管理することによって、物と情報が一致し、検品作業および棚卸作業の効率を大幅に向上することができる。
【００３４】
また、原材料データおよび例えば、作業者、使用機械番号、追加材料データ等の加工作業実績情報を現物と一緒に管理することによって管理制度の向上を図ることができる。
【００３５】
特に、金属加工または食品加工等のまとまった単位で原材料を支給して、加工業務を委託する企業間取引において有効である。
【００３６】
部品メーカ／アセンブリメーカのように独立した事業体間の情報共有が対象でなく、一部の業務委託を行っている企業間での情報共有に特化しているため、川上企業から川下企業への一方的な情報の提供でなく、ターンアラウンド形式での情報の共有化が図られている。
【００３７】
また、部品一つ一つに情報を書き込む形式に比べ、作業指示書単位等の業務委託の単位での情報管理であり、実際の業務処理に即した情報管理方法となり、より一層の効率的な運用が可能である。
【００３８】
なお、上述する実施の形態は、本発明の好適な実施の形態であり、本発明の要旨を逸脱しない範囲内において種々変更実施が可能である。例えば、ＲＦＩＤに格納されているデータは所定のＲＦＩＤリーダによって自動的に読み取られることであってもよい。さらに、上記各実施形態における処理動作の全部または一部を情報処理装置により実行させるためのプログラムも本発明に属する。
【図面の簡単な説明】
【００３９】
【図１】本発明の実施形態における加工委託業務処理システムの概略構成を示す図である。
【図２】本発明のデータ保持媒体に格納されるデータ構造の一例を示す図である。
【図３】加工委託処理の動作を示すフローチャートである。
【符号の説明】
【００４０】
１０、２０    基幹システム
１１、１３、２１、２３、２５    端末
１２、１４、２２、２４、２６    データ保持媒体
【図１】
2005309972.tif 000003
【図２】
2005309972.tif 000004
【図３】
2005309972.tif 000005